(57)【特許請求の範囲】
【請求項１】
バーが貫通設置される貫通孔を中心に備え、車体に固定されるハウジングと、
前記バーが貫通設置される貫通孔を中心に備えて前記ハウジングに固定される固定部と、前記貫通孔の周囲で固定部からハウジング内側に突出した中空の突出部とからなり、前記突出部には外周面を貫通する複数のボール挿入孔が形成されたボールケースと、
前記ボール挿入孔に各々挿入設置されて前記バーの直進及び回転運動時に回転する複数のボールと、
前記ハウジングとボールケースとにより形成された内部空間に設置されて前記ボールと連動回転するローラーと、
前記ハウジングとボールケースとに対する前記ローラーの相対的位置を調節することによって前記ローラーとボールとの間の公差を調節する公差調節部材と、を含み
前記公差調節部材は、前記ローラーの内部中心で前記ローラーと相対回転が可能に設置される中間軸と、前記中間軸の内部中心から所定距離だけ偏芯された位置で前記中間軸と一体に固定されて両端部が前記ハウジングとボールケースとに固定される固定軸とからなることを特徴とする、変速ギヤシフトのバー支持装置。
【請求項２】
前記中間軸の内部には前記中間軸とローラーとの間の空間に潤滑油を供給するための潤滑通路が備えられていることを特徴とする、請求項１に記載の変速ギヤシフトのバー支持装置。
【請求項３】
前記固定軸の少なくともいずれか一端部には、ナットが締結されるねじ部が備えられ、両端部の間において、前記中間軸には、その回転を防止するための四角断面部が備えられていることを特徴とする、請求項１に記載の変速ギヤシフトのバー支持装置。
【請求項４】
前記ハウジング及びボールケースは耐摩耗性及び耐グリース性の優れたポリテトラフルオロエチレンなどのポリエチレン系列の物質からなることを特徴とする、請求項１に記載の変速ギヤシフトのバー支持装置。
【請求項５】
前記ボールにはグルーブが備えられていることを特徴とする、請求項１に記載の変速ギヤシフトのバー支持装置。
【請求項６】
前記ボールケースは前記ハウジングにねじ締め方式によって固定されることを特徴とする、請求項１に記載の変速ギヤシフトのバー支持装置。
【請求項７】
前記ボールは前記ボール挿入孔に線接触することを特徴とする、請求項１に記載の変速ギヤシフトのバー支持装置。
【請求項８】
前記ハウジングの貫通孔周囲には前記ボールケースの突出部先端が挿入される先端挿入部が備えられていることを特徴とする、請求項１に記載の変速ギヤシフトのバー支持装置。
【発明の詳細な説明】
【０００１】
【発明の属する技術分野】
本発明は変速ギヤシフト（ＴＧＳ：Ｔｒａｎｓｍｉｓｓｉｏｎ  Ｇｅａｒ  Ｓｈｉｆｔ）のバー（ｂａｒ）支持装置に係り、より詳しくは、バーとの公差調節が容易で、変速レバーを回転（ｓｅｌｅｃｔｉｎｇ）運動させる時の抵抗を減少させて騷音特性、耐久性及び運転便宜性を向上させることができる変速ギヤシフトのバー支持装置に関する。
【０００２】
【従来の技術】
一般に、手動変速機の変速を制御する変速操作器具は、変速機の種類と車体に装着される変速機の位置とによって様々なタイプから構成され、直接操作式と遠隔操作式などに区分される。
【０００３】
前記遠隔操作式の変速操作器具は、変速レバーと変速機とが離隔していて、その間をバーやワイヤーなどで連結して操作するもので、車両運転席に設置された変速レバーの操作力が車両後尾の変速機に正確に伝えられるようにするために、バーの適正部位には、これを支持するための支持装置が設置される。
【０００４】
このような従来のバー支持装置の一例としては、ガイドタイプの支持装置がある。前記ガイドタイプは、変速ギヤシフト（ＴＧＳ）のバーの適正部位にプラスチック材質のブラケットを設置して、バーの長さ方向に沿ってブラケットの外側に異物流入防止用円筒形ゴムブートを設置して、前記ブラケットを車体に固定したもので、価格が安い長所があるが耐久性が悪く、特にバーの直進運動（ｓｈｉｆｔｉｎｇ）及び回転運動（ｓｅｌｅｃｔｉｎｇ）によってブラケットが摩耗された場合に、前記摩耗量を補正する方法がないので、バーとの人為的な公差調節が不可能である。
【０００５】
従って、凹凸した路面を走行中にはフロア下部で騷音が発生するため、一部の車種（準高速バス級以上）には適用できない問題点がある。
【０００６】
これにより、最近では前記ガイドタイプに比べて性能が改善されたローラータイプの支持装置が用いられている。
【０００７】
図１は従来の技術によるローラータイプの変速ギヤシフトのバー支持装置を示した斜視図であり、図示したように、バー１１０の左右側には一対のブラケット１１２、１１４が対向するように設置され、バー１１０の上下側にはバー１１０と接触した状態で、上部ローラー１１６と下部ローラー１１８とが両ブラケット１１２、１１４を連結するように設置され、バー１１０の長さ方向に、ブラケット１１２、１１４の外側には円筒形ゴムブート１２０、１２２が設置される。
【０００８】
この時、上部及び下部ローラー１１６、１１８はバーの直進運動（ｓｈｉｆｔｉｎｇ）時に、ブラケット１１２、１１４に対して、矢印方向に各々回転可能に設置され、特に下部ローラー１１８はバー１１０と接触する部分が凹んだ形状を有する。
【０００９】
しかし、前記ローラータイプの支持装置はガイドタイプに比べて騷音及び耐久性の面で優れた長所があるが、上部及び下部ローラーがバーの直進運動時にだけ回転するようにブラケットに設置されているので、バーの直進運動は効率的に行われる反面、回転運動は効率的に行われない。通常、前記回転運動は変速段を選択するための運動であり、前記直進運動は変速ギヤを結合させるための運動である。
【００１０】
従って、変速段を選択（ｓｅｌｅｃｔｉｎｇ）する時に、変速レバーを操作する力がより必要になり、操作感も悪くなる。
【００１１】
また、バーの直進及び回転運動によってローラーが摩耗されてローラーとバーとの間にギャップが発生する場合に、前記ギャップを埋める手段がないので、バーとの間の公差調節が容易でなく、また製造原価が高い問題点がある。
【００１２】
【発明が解決しようとする課題】
従って、本発明は前記のような問題点を解決するためになされたものであって、本発明の目的は、バーとの間の公差調節が容易で、変速レバーを回転運動させる時の抵抗を減少させて騷音特性、耐久性及び運転便宜性を向上させることができる変速ギヤシフトのバー支持装置を提供することにある。
【００１３】
【課題を解決するための手段】
これを実現するために、本発明による変速ギヤシフトのバー支持装置は、バーが貫通設置される貫通孔を中心に備え、車体に固定されるハウジングと、
前記バーが貫通設置される貫通孔を中心に備えて、前記ハウジングに固定される固定部と、前記貫通孔の周囲で固定部からハウジング内側に突出した中空の突出部とからなり、前記突出部には外周面を貫通する複数のボール挿入孔が形成されたボールケースと、
前記ボール挿入孔に各々挿入設置されて、前記バーの直進及び回転運動時に回転する複数のボールと、
前記ハウジングとボールケースとにより形成された内部空間に設置されて、前記ボールと連動回転するローラーと、
前記ハウジングとボールケースとに対する前記ローラーの相対的位置を調節することによって、前記ローラーとボールとの間の公差を調節する公差調節部材と、
を含み、
前記公差調節部材は、前記ローラーの内部中心でローラーと相対回転が可能に設置される中間軸と、前記中間軸の内部中心から所定距離だけ偏芯された位置で、前記中間軸と一体に固定される両端部が前記ハウジングとボールケースとに各々固定されて固定軸とからなる。
【００１４】
【発明の実施の形態】
以下、前記目的を具体的に実現することができる本発明の好ましい実施例を添付した図面に基づいて詳細に説明する。
図２は本発明の実施例による変速ギヤシフトのバー支持装置の正面図であり、図３は図２のＡ−Ａ線による断面図である。図２のＡ−Ａ線による断面は上下対称に図示されるので、図３では変速ギヤシフトのバー２６の中心軸から下の部分は省略した。
【００１５】
図示したように、本発明の実施例の変速ギヤシフトのバー支持装置は、ボルト１２、ワッシャー１４及びナット１６によって車体１８に固定されるハウジング２０、及びこのハウジング２０にねじ２２で結合されるボールケース２４を含む。ハウジング２０及びボールケース２４には変速ギヤシフトのバー２６が貫通設置される貫通孔２０ａ、２４ａが各々形成される。
【００１６】
ボールケース２４は、テフロン（Ｒ）（ポリテトラフルオロエチレン）などのポリエチレン系列の物質で成形されたハウジング２０に固定される固定部２４ｂと、貫通孔２４ａの周囲で固定部２４ｂからハウジング２０の内側に突出した中空の突出部２４ｃとからなり、ハウジング２０の内面には突出部２４ｃの先端が挿入される先端挿入部２０ｂが備えられ、突出部２４ｃにはその外周面を貫通する複数のボール挿入孔２４ｄが等間隔で形成され、各々のボール挿入孔２４ｄにはバー２６と接触するようにボール２８が介在する。
【００１７】
ボール挿入孔２４ｄにボール２８が挿入されるとボール２８と突出部２４ｃとは帯（ｂａｎｄ）形態の接触面を形成するが、この時、ボール挿入孔２４ｄをボール２８に比べて小さい直径を有するように形成すれば、つまり前記接触面がボール２８の直径に比べてより小さいように形成すれば、ボール２８がボール挿入孔２４ｄと線接触するので、バー２６の直進及び回転運動に沿ってボール２８が回転する時の摩擦、転がり抵抗及び偏磨耗を減少させることができる。
【００１８】
また、ボール２８の表面にグルーブ３０を形成すれば、バー２６と後述するローラーとの接触面積を最少化することができる。図３ではグルーブ３０を一つ図示しているが、任意の配列で複数個形成することができるのは自明である。
【００１９】
ハウジング２０及びボールケース２４を耐摩耗性及び耐グリース性の優れたテフロン（Ｒ）（ポリテトラフルオロエチレン）などのポリエチレン系列の材料で構成すれば、耐久性向上及び騷音低減効果を得ることができる。
【００２０】
そして、ハウジング２０とボールケース２４とによって形成された内部空間にはボール２８と接触した状態で、前記ボールと連動回転するローラー３２が設置されるが、ローラー３２には、ハウジング２０とボールケース２４とに対するローラー３２の相対的位置を調節することによって、ローラー３２とボール２８との間の公差を調節する公差調節部材が介在する。
【００２１】
ローラー３２が設置されると、ボール２８が回転する時に、これに連動して前後進動作できるように、前後のハウジング２０及びボールケース２４の間に所定の作動遅延が形成される。
【００２３】
ここで、固定軸３６の少なくともいずれか一端部にはナット３８が締結されるねじ部３６ａが形成され、固定軸３６の長さ方向の中間部分には中間軸３４がローラー３２と共に回転するのを防止するための断面が四角に形成された四角断面部３６ｂが備えられている。
【００２４】
バー２６が直進運動する場合には、ローラー３２は中間軸３４上で直線運動し、バー２６が回転運動する場合には、ローラー３２は中間軸３４上で回転運動する。
【００２５】
中間軸３４は固定軸３６の両端部がハウジング２０及びボールケース２４に各々固定されているので、固定軸３６と共に固定状態に維持される。
【００２６】
しかし、作業者が固定軸３６を回転させる時には、図４に示したように、中間軸３４が固定軸３６を回転中心として回転するので、ローラー３２とボール２８との間の公差を容易に調節することができ、公差調節範囲Ｌ１は固定軸３６の偏心距離Ｌ２と比例する。（図５参照）
【００２７】
一方、ローラー３２の回転運動が円滑になるようにするために中間軸３４及びローラー３２に潤滑通路３２ａ、３４ａを各々備える場合には、摩擦、転がり抵抗及び摩耗をさらに効果的に抑制することができる。
【００２８】
前記では本発明の好ましい実施例について説明したが、本発明はこれに限定されるのではなく、特許請求の範囲と発明の詳細な説明、添付した図面の範囲内で多様に変形して実施することが可能であり、これも本発明の範囲に属するのは当然である。
【００２９】
【発明の効果】
前述のように、本発明による変速ギヤシフトのバー支持装置は、ハウジング及びボールケースがポリテトラフルオロエチレンなどのポリエチレン系列の物質からなるので、耐摩耗性及び耐グリース性が優れていて、騷音及び製造原価を減らすことができる。
【００３０】
そして、ボールとローラーとの間の公差を公差調節部材によって容易に調節することができ、ボールケースがねじ締め方式によってハウジングに固定されるので、アフターサービス時に一部の部品だけ交換することができてアフターサービス性が優れている。
【００３１】
また、ボールとボール挿入孔とが線接触し、ボールの表面にグルーブが備えられ、中間軸とローラーとの間の空間に潤滑油が供給されるので、ボールの回転時に摩擦、転がり抵抗及び偏摩耗を減少させることができ、運転便宜性を向上させることができるなどの効果がある。
【図面の簡単な説明】
【図１】従来の技術によるローラータイプの変速ギヤシフトのバー支持装置を示す斜視図である。
【図２】本発明の実施例による変速ギヤシフトのバー支持装置の正面図である。
【図３】図２のＡ−Ａ線断面図である。
【図４】図３のローラーの分解斜視図である。
【図５】本発明の実施例による変速ギヤシフトのバー支持装置の公差調節作用を示す図面である。
【符号の説明】
１２    ボルト
１４    ワッシャー
１６、３８    ナット
１８    車体
２０    ハウジング
２０ｂ    先端挿入部
２２    ねじ
２４    ボールケース
２０ａ、２４ａ    貫通孔
２４ｂ    固定部
２４ｃ    突出部
２４ｄ    ボール挿入孔
２６、１１０    バー
２８    ボール
３０    グルーブ
３２    ローラー
３４    中間軸
３２ａ、３４ａ    潤滑通路
３６    固定軸
３６ａ    ねじ部
３６ｂ    四角断面部
１１２、１１４    ブラケット
１１６    上部ローラー
１１８    下部ローラー
１２０、１２２    円筒形ゴムブート
【図１】
0003934907.tif 000002
【図２】
0003934907.tif 000003
【図３】
0003934907.tif 000004
【図４】
0003934907.tif 000005
【図５】
0003934907.tif 000006